(57)【特許請求の範囲】
【請求項１】
音声信号検出システムにおいて、
入力信号から時間軸上の該入力信号の振幅のピークを抽出するピーク抽出部と、
抽出された前記ピークの電圧レベルと所定の閾値電圧レベルとを比較して、その比較結果を二進シーケンスに変換するピーク検出部と、
前記変換された二進シーケンスを検査するためのテストウインドウの長さを決定し、前記テストウインドウの長さ単位でマイクロイベントを検出するマイクロイベント検出部と、
前記検出されたマイクロイベントをリンクするマイクロイベントリンク部と、
前記リンクされたマイクロイベントの開始点及び終了点を検出して、音声信号の開始点及び終了点を判断する音声信号の開始点及び終了点検出部と、を含み、
前記マイクロイベント検出部は、前記各テストウインドウ内の前記閾値電圧レベルよりも大きいピークに該当するシーケンスの個数を把握し、把握されたシーケンスの個数が所定の個数であれば、そのシーケンスをマイクロイベントとして検出する
ことを特徴とする、音声信号検出システム。
【請求項２】
背景雑音だけが存在する入力信号から抽出された前記ピークと、そのピークの電圧レベルとを用いて、背景雑音ヒストグラムを生成する背景雑音ヒストグラム生成部と、
生成された前記背景雑音ヒストグラムを用いて、所定のピーク選択率に対応する閾値電圧レベルＬを決定する閾値電圧レベル決定部と、をさらに含むことを特徴とする、請求項１に記載の音声信号検出システム。
【請求項３】
前記マイクロイベントリンク部は、前記検出されたマイクロイベントのうち、互いの時間間隔が一時的な相関閾値以内のマイクロイベントをリンクすることを特徴とする、請求項１に記載の音声信号検出システム。
【請求項４】
前記一時的な相関閾値は４０ｍｓであることを特徴とする、請求項３に記載の音声信号検出システム。
【請求項５】
音声信号検出方法において、
入力信号から時間軸上の該入力信号の振幅のピークを抽出するステップと、
抽出された前記ピークの電圧レベルと所定の閾値電圧レベルとを比較して、その比較結果を二進シーケンスに変換するステップと、
前記変換された二進シーケンスを検査するためのテストウインドウの長さを決定し、前記テストウインドウの長さ単位でマイクロイベントを検出するステップと、
前記検出されたマイクロイベントをリンクするステップと、
前記リンクされたマイクロイベントの開始点及び終了点を検出して、音声信号の開始点及び終了点を判断するステップと、を含み、
前記マイクロイベントを検出するステップは、
前記各テストウインドウ内の前記閾値電圧レベルよりも大きいピークに該当するシーケンスの個数を把握するステップと、
把握されたシーケンスの個数が所定の個数であれば、そのシーケンスをマイクロイベントとして検出するステップと、を含む
ことを特徴とする、音声信号検出方法。
【請求項６】
背景雑音だけが存在する入力信号から抽出された前記ピークと、そのピークの電圧レベルとを用いて、背景雑音ヒストグラムを生成するステップと、
生成された前記背景雑音ヒストグラムを用いて、所定のピーク選択率に対応する閾値電圧レベルＬを決定するステップと、をさらに含むことを特徴とする、請求項５に記載の音声信号検出方法。
【請求項７】
前記マイクロイベントをリンクするステップは、前記検出されたマイクロイベントのうち、互いの時間間隔が一時的な相関閾値以内のマイクロイベントをリンクすることを特徴とする、請求項５に記載の音声信号検出方法。
【請求項８】
前記一時的な相関閾値は４０ｍｓであることを特徴とする、請求項７に記載の音声信号検出方法。
【発明の詳細な説明】
【技術分野】
【０００１】
本発明は音声信号検出システム及び方法に関し、特に、時間軸におけるピーク情報を用いて音声信号を検出する音声信号検出システム及び方法に関する。
【背景技術】
【０００２】
最近、音声信号を用いた多様なシステムが開発されつつあり、音声信号を用いたシステムでは、音声信号に基づいて、コーディング、認識、強化などのような音声信号を用いた応用プロセスを遂行する。これにより、音声信号を用いたシステムでは、音声信号の検出が基本的且つ正確に行われなければならないため、音声信号を正確且つ効率良く検出できる方法について鋭意研究が進められている。
【０００３】
通常の音声信号検出方法としては、例えば、入力信号のエネルギーを利用する方法や、入力信号のゼロクロスレート(Zero Crossing Rate)を利用する方法がある。エネルギーを利用する方法は、入力信号のエネルギーを測定し、エネルギー測定値が高くなれば、エネルギー測定値の高い部分を音声信号として検出するものである。ゼロクロスレートを利用する方法は、入力信号のゼロクロスレートを測定して、入力信号のゼロクロスレートの高い部分を音声信号として検出するものである。最近は、音声信号の検出の正確度を高めるために、前述した両方の方法を組合わせたものもよく利用されている。
【０００４】
しかしながら、前述した音声信号検出方法は、雑音が存在する場合、音声信号の検出の正確度が低い。例えば、エネルギー測定値の高い部分を音声信号として検出する方法は、雑音信号によるエネルギーを考慮しないため、雑音信号によるエネルギーが高くなれば、雑音信号を音声信号と判断したり、音声信号を雑音信号と判断したりする可能性がある。
【０００５】
また、ゼロクロスレートの高い部分を音声信号として検出する方法も、ゼロクロスレートが雑音信号によるものか、実際の音声信号によるものか判断し難いため、雑音信号によりゼルクロスレートが高くなれば、雑音信号を音声信号と判断したり、音声信号を雑音信号と判断したりする可能性がある。
【０００６】
前述したように、雑音信号を音声信号と判断する場合を加算エラー(additive error)といい、音声信号を雑音信号と判断する場合を減算エラー(subtractive error)という。加算エラーは付加的な処理により雑音信号が取り出されるが、減算エラーは音声信号が既に雑音信号と判断されて削除されたため、復旧出来ない場合が多い。よって、減算エラーを基本的に防止できる音声検出技術が要求されている。
【０００７】
また、従来の音声信号検出方法は、主にフレーム単位で音声信号を検出する。フレーム単位で音声信号を検出する場合、フレーム単位よりも小さい単位のエラーが発生しても、フレーム単位のエラーと認識され、エラーに対して敏感になる。また、従来の音声信号検出方法は、一つの固定された方法により音声信号を検出するため、所定のアルゴリズムが機能しなければ、そのエラーがそのまま次のプロセスに伝達されてエラーが累積されるという問題点がある。
【発明の開示】
【発明が解決しようとする課題】
【０００８】
よって、本発明の目的は、雑音が存在する状況でも音声信号を正確に検出できる音声信号検出システム、及び音声信号検出システムにおける時間軸ピーク情報を用いた音声信号検出方法を提供することにある。
【０００９】
本発明の他の目的では、音声信号が雑音信号と判断される減算エラーを防止できる音声信号検出システム、及び音声信号検出システムにおける時間軸ピーク情報を用いた音声信号検出方法を提供することにある。
【００１０】
本発明のさらに他の目的では、フレーム単位でないサンプル単位で音声信号を検出することによりエラーの影響が小さくなる音声信号検出システム、及び音声信号検出システムにおける時間軸ピーク情報を用いた音声信号検出方法を提供することにある。
【００１１】
本発明のさらに他の目的では、以前の音声信号検出時のエラーが次の音声信号検出時に影響を及ぼさないように、エラーの累積を防止する音声信号検出システム、及び音声信号検出システムにおける時間軸ピーク情報を用いた音声信号検出方法を提供することにある。
【課題を解決するための手段】
【００１２】
前記目的を達成するために、本発明は、音声信号検出システムにおいて、入力信号からピークを抽出するピーク抽出部と、前記抽出されたピークの電圧レベルと所定の閾値電圧レベルとを比較して、その比較結果を二進シーケンスに変換するピーク検出部と、前記変換された二進シーケンスを検査するためのテストウインドウの長さを決定し、前記テストウインドウの長さ単位でマイクロイベントを検出するマイクロイベント検出部と、前記検出されたマイクロイベントをリンクするマイクロイベントリンク部と、前記リンクされたマイクロイベントの開始点及び終了点を検出して、音声信号の開始点及び終了点を判断する音声信号の開始点及び終了点検出部とを含む。
【００１３】
また、本発明は、音声信号検出方法において、入力信号からピークを抽出するステップと、前記抽出されたピークの電圧レベルと所定の閾値電圧レベルとを比較して、その比較結果を二進シーケンスに変換するステップと、前記変換された二進シーケンスを検査するためのテストウインドウの長さを決定し、前記テストウインドウの長さ単位でマイクロイベントを検出するステップと、前記検出されたマイクロイベントをリンクするステップと、前記リンクされたマイクロイベントの開始点及び終了点を検出して、音声信号の開始点及び終了点を判断するステップとを含む。
【発明の効果】
【００１４】
本発明によれば、時間軸のピーク特徴情報の抽出及び分析を用いた音声検出方法を提供することで、簡単なサンプルの大きさの比較により、少ない計算量で検出できるだけでなく、音声信号が常に雑音レベルより上に存在して、雑音に非常に強い音声検出方法を提供できる。
【００１５】
また、本発明は、従来のフレーム単位の検出とは異なり、サンプル単位の検出により、幾つかのサンプル内でのより正確な検出が達成できる。
【００１６】
また、本発明は、雑音などの状況により特徴抽出変数を最適化して使用でき、最善と次善の音声検出開始点と終了点を提供して柔軟に適用できる。
【００１７】
また、本発明は、ピーク情報の特徴を利用することで、音声情報を消失し得る減算エラーを防止できる。
【００１８】
また、本発明は、別途のパラメーターの定義なしに使用でき、従来の他の方法とは異なり、信号に対するどのような仮定をしなくても良い。
【００１９】
また、本発明は、状況に合う最適な検出方法を選択することで、柔軟な音声検出が可能なので、実際の音声コーディング、認識、強化、合成などの全ての段階で使用可能である。
【００２０】
また、本発明は、少ない計算量で正確な音声検出が可能なので、携帯電話端末、テレマティックス、ＰＤＡ、ｍｐ３などのような、移動性が強く、計算や格納容量の制限があったり、速い処理が要求されるアプリケーションに効果的に使用できる。
【発明を実施するための最良の形態】
【００２１】
以下、添付図面に基づき、本発明の好適な実施形態について詳細に説明する。図面において、同一の構成要素に対しては、同一の参照符号を付与したことに留意すべきである。また、本発明の説明において、本発明に関連した公知の機能や構成についての具体的な説明が、本発明の要旨を不明瞭にすると判断される場合には、その詳細な説明を省略する。
【００２２】
図１は、本発明の実施形態による音声信号検出システムのブロック構成図である。図１によれば、本発明の実施形態による音声信号検出システムは、ピーク抽出部１０２と、背景雑音ヒストグラム生成部１２２と、ピーク検出閾値電圧レベル決定部１２４と、ピーク検出部１０４と、マイクロイベント検出部１０６と、マイクロイベント連結部１０８と、音声開始点及び終了点判断部１１０とを含む。
【００２３】
ピーク抽出部１０２は、入力信号のピーク抽出のためのウインドウの長さＴを決定し、信号を入力されて、入力信号からピークを抽出する。本発明の実施形態では、入力信号に背景雑音のみが存在する場合(null hypothesis)、その入力信号をＨ０といい、入力信号に背景雑音及び音声信号の両方が存在する場合(alternative hypothesis)、その入力信号をＨ１という。
【００２４】
背景雑音ヒストグラム生成部１２２は、背景雑音だけが存在する入力信号から抽出されたピークと、そのピークの電圧レベルとを用いてヒストグラムを生成する。すなわち、背景雑音ヒストグラム生成部１２２は、背景雑音信号から抽出されたピークと、その抽出されたピークの電圧レベルとを用いて、ピークの大きさ(amplitude)の確率密度関数(ＰＤＦ：Probability Density Function)の推定値を表すヒストグラムを生成する。
【００２５】
ピーク検出閾値電圧レベル決定部１２４は、背景雑音信号から抽出されたピークの電圧レベルに対するヒストグラムを用いて、所定のピーク選択率(count peak ratio；以下、“ｒ”と称する)に対応する閾値電圧レベルＬを決定する。例えば、背景雑音信号から抽出されたピークを１００とすれば、ピーク検出閾値電圧レベル決定部１２４は、ｒが０.０５である場合、１００個のピークの中の閾値電圧レベルＬ以上のピークが５個存在するようにその閾値電圧レベルＬを決定し、ｒが０.０２である場合、抽出されたピークの中の閾値電圧レベルＬ以上のピークが２個存在するようにその閾値電圧レベルＬを決定する。
【００２６】
このような閾値電圧レベルＬは、背景雑音だけが存在する状況では、閾値電圧レベルＬ以上である部分にピークが存在する確率が、下記の式（１）のような二項係数の和(sum of binominal coefficient)により算出できるという根拠により決定され得る。
【００２７】
【数１】
0004545729.tif 000002
【００２８】
式（１）において、Ｗは１回に１つのピークずつ前進するテストウインドウの長さを示すパラメータ、ｒは抽出されたピークの中の閾値電圧レベルＬ以上であるピークの比率、ＰはＷのピークシーケンスが最小閾値電圧レベルＬ以上であるピークをＮ個以上持つ確率を示す。
【００２９】
ピーク検出部１０４は、前述したように、閾値電圧レベルＬが決定されれば、背景雑音信号と音声信号とが混合された入力信号から抽出されたピークの電圧レベルと、決定された閾値電圧レベルＬとを比較して、閾値電圧レベルＬより大きいピークを検出する。このとき、ピーク検出部１０４は、背景雑音信号と音声信号とが混合された入力信号から抽出されたピークシーケンスの電圧レベルが、決定された閾値電圧レベルＬより大きいか小さいかにより、そのピークシーケンスを二進シーケンスに変換する。入力信号から抽出されたピークシーケンスの電圧レベルが決定された閾値電圧レベルＬより大きければ１になり、入力信号から抽出されたピークシーケンスの電圧レベルが決定された閾値電圧レベルＬより小さければ０になる。例えば、ピークシーケンスは、電圧レベルによって“１１０００１１１１０００１１１１”のようなピークシーケンスに変換される。また、変換された二進シーケンスは、マイクロイベント検出部１０６に入力される。
【００３０】
マイクロイベント検出部１０６は、入力される二進シーケンスを検査するためのテストウインドウの長さＷを決定し、二進シーケンスをテストウインドウの長さＷの単位で検査して、各テストウインドウＷ内の“１”の値を持つシーケンスの個数を把握する。また、マイクロイベント検出部１０６は、テストウインドウ内の全てのシーケンスの中で“１”の値を持つシーケンスの個数が、所定の個数になれば、これをマイクロイベントとして検出する。
【００３１】
例えば、本発明の実施形態によれば、テストウインドウの長さＷは４つのシーケンス長さにより決定され、そのテストウインドウ内の“１”の値を持つシーケンスが３個であれば、これをマイクロイベント検出部がマイクロイベントとして検出する。また、テストウインドウの長さＷは５個のシーケンス長さにより決定され、そのテストウインドウ内の“１”の値を持つシーケンスが３個であれば、これをマイクロイベント検出部がマイクロイベントとして検出する。このようなマイクロイベントは、音声として検出できるピークの最小単位をいい、音声検出の単位として検出されたマイクロイベントは、マイクロイベント連結部１０８に入力される。
【００３２】
マイクロイベント連結部１０８は、入力されたマイクロイベントの中で一時的な相関閾値(temporal relationship threshold)を満足させるマイクロイベントをリンクする。このとき、リンクされたマイクロイベントのチェーン(chain)は、発話した音声信号の各部分に該当する。
【００３３】
ところが、マイクロイベントのリンク時、リンクされるマイクロイベント間にギャップ(gap)が存在する場合、リンクされたマイクロイベントと実際の音声信号との間に差が発生し、実質的な音声開始及び終了の検出に不確実性が発生し得る。このような問題を解決するために、マイクロイベントのリンクのためのリンク条件(link criteria)が必要である。このようなリンク条件は、‘B.Reaves、“Comments on:  An Improved Endpoint Detector for Isolated Word Recognition”、IEEE Transactions on Signal Processing、Vol.39 No.2、February 1991。’のような参考文献の音声の性質及び時間的な整合性(temporal consistency)の研究を参照して決定できる。
【００３４】
前記参考文献では、２つの別々の音声信号がリンクできる性質について記載しており、本発明の実施形態によれば、音声信号のリンクは、４０ｍｓのリンク条件でも(実験的に)良好に動作する。これにより、本発明では、リンク閾値(linking threshold)を通常４０ｍｓで使用する。すなわち、本発明の実施形態では、マイクロイベントの間隔が４０ｍｓ以内であれば、互いにリンク可能と判断してリンクする(実用的には、２５〜１５０ｍｓの範囲でリンク可能である)。ここで、リンク閾値は、“Ｌ”値や“ｒ”値によって変化させることができる。一方、前述したように、リンク条件によってリンクされたマイクロイベントは、音声開始点及び終了点判断部１１０に入力される。
【００３５】
音声開始点及び終了点判断部１１０は、リンクされたマイクロイベントの開始点及び終了点を検出する。このとき、音声開始点及び終了点判断部１１０は、音声信号の特徴により、リンクされたマイクロイベントの開始点及び終了点の検出の正確度を調節できる。例えば、音声開始点及び終了点判断部１１０は、音声信号の特徴により、リンクされたマイクロイベントの開始点及び終了点を非常に正確(最善)に検出したり、音声信号の検出性能に影響を及ぼさない程度の正確度(次善)で検出したりできる。また、音声開始点及び終了点判断部１１０は、検出されたマイクロイベントの開始点及び終了点を用いて、音声信号開始点及び終了点を判断し、このような音声信号の開始点及び終了点を用いて入力信号の中の音声信号部分を検出する。
【００３６】
前述したように構成された本発明の実施形態による音声信号検出システムでは、背景雑音だけが存在する状況で、背景雑音のピーク分布を用いてピーク選択率ｒを決定し、ピーク選択率ｒに対応する閾値電圧レベルを決定する。その後、決定された閾値電圧レベルＬを用いて、入力信号に含まれた音声信号に該当するピークの中の該当ピークを検出し、音声信号に該当するピークから音声の開始点及び終了点を検出して音声を検出する。
【００３７】
よって、本発明の実施形態による音声信号検出システムは、入力信号の時間軸ピーク情報を用いて音声信号を検出することにより、計算量が少なく、背景雑音の影響も小さく、状況によって最適な検出方法を適用し得る。
【００３８】
以下、前述したように構成された本発明の実施形態による音声信号検出システムにおいて、時間軸ピーク情報を用いて音声信号を検出する方法について詳細に説明する。
【００３９】
まず、背景雑音だけが存在する状況で、背景雑音のピーク分布によってピーク選択のための閾値電圧レベルＬを決定する過程について説明する。
【００４０】
図２は、本発明の実施形態による背景雑音のピーク分布を用いた閾値電圧レベルの決定過程を示すフローチャートである。
【００４１】
図２によれば、音声信号検出システムは、段階Ｓ２０２において、背景雑音信号だけが含まれた入力信号を受信して、背景雑音信号に対するピークを抽出する。
【００４２】
続いて、音声信号検出システムは、段階Ｓ２０４において、背景雑音信号に対するピークと、そのピークの電圧レベルとを用いてヒストグラムを生成する。
【００４３】
図３Ａ及び図３Ｂは、背景雑音信号に対するピークと、そのピークの電圧レベルとを用いて生成したヒストグラムを示す図である。図３Ａ及び図３Ｂにおいて、横軸は電圧レベルを示し、縦軸はピーク分布を示す。図３Ａによれば、電圧レベルに従うピーク分布を示している。
【００４４】
音声信号検出システムは、段階Ｓ２０６段階において、所定のピーク選択率ｒにより、図３Ｂに示すように全体の背景雑音のピーク分布のうち、ピーク選択率ｒに対応するピークが閾値電圧レベルＬ以上になるように、閾値電圧レベルＬを決定する。
【００４５】
前述したように、閾値電圧レベルＬを決定した後、音声検出システムは、決定された閾値電圧レベルＬを用いて、入力信号に含まれた音声信号の開始点及び終了点を判断して音声を検出する。
【００４６】
図４は、本発明の実施形態による閾値電圧レベルＬを用いた音声検出方法に対するフローチャートである。図４によれば、音声検出システムは、段階Ｓ２１２において、信号の入力を受ける。続いて、段階Ｓ２１４において、入力信号のピーク抽出のためのウインドウの長さＴを決定する。
【００４７】
続いて、段階Ｓ２１６において、決定されたウインドウの長さＴによって入力信号からピークを抽出する。音声検出システムは、段階Ｓ２１８において、抽出されたピークの電圧レベルと所定の閾値電圧レベルＬとを比較して、閾値電圧レベルＬより大きいピークを検出する。
【００４８】
続いて、音声検出システムは、段階Ｓ２２０において、検出されたピークシーケンスの電圧レベルが、決定された閾値電圧レベルＬより大きいか小さいかにより、そのピークシーケンスを二進シーケンスに変換する。このとき、入力信号から抽出されたピークシーケンスの電圧レベルが、決定された閾値電圧レベルＬより大きければ１になり、決定された閾値電圧レベルＬより小さければ０になる。例えば、ピークシーケンスは、電圧レベルによって“１１０００１１１１０００１１１１”のようなピークシーケンスに変換される。
【００４９】
音声検出システムは、段階Ｓ２２２において、変換された二進シーケンスを用いてマイクロイベントを検出する。すなわち、音声検出システムは、入力される二進シーケンスを検査するためのテストウインドウＷの長さを決定し、二進シーケンスをテストウインドウの長さ単位で検査して、各テストウインドウ内の“１”の値を持つシーケンスの個数を把握する。また、テストウインドウ内の全てのシーケンスの中で“１”の値を持つシーケンスの個数が所定の個数になれば、これをマイクロイベントとして検出する。このようなマイクロイベントは、音声として検出できるピークの最小単位である。
【００５０】
音声検出システムは、マイクロイベントを検出した後、段階Ｓ２２４においてマイクロイベントをリンクする。このとき、リンクされたマイクロイベントのチェーンは発話した音声信号の各部分に該当する。マイクロイベントのリンク時、リンクされるマイクロイベント間にギャップが存在する場合、リンクされたマイクロイベントと実際の音声信号との間に差が発生することで、実質的な音声開始点及び終了点の検出が不確実になり得る。このような問題を解決するために、マイクロイベントのリンクのためのリンク条件が設定され、条件が満足されるとリンク処理を実行する。本発明の実施形態では、マイクロイベントの間隔が４０ｍｓ以内であれば、互いにリンク可能と判断してリンクする(実用的には、２５〜１５０ｍｓの範囲でリンク可能であるようにできる)。
【００５１】
前述したように、リンク条件によってマイクロイベントをリンクした後、音声検出システムは、段階Ｓ２２６において、リンクされたマイクロイベントの開始点及び終了点を検出する。このとき、音声信号の特徴により、リンクされたマイクロイベントの開始点及び終了点の検出の正確度を調節できる。音声検出システムは、検出されたマイクロイベントの開始点及び終了点を用いて音声信号開始点及び終了点を判断する。
【００５２】
続いて、音声検出システムは、段階Ｓ２２８において、判断された音声信号の開始点及び終了点を用いて、入力信号のうちの音声信号部分を検出する。
【００５３】
前述したように構成された本発明の実施形態による音声信号検出システムでは、背景雑音だけが存在する状況で、背景雑音のピーク分布を用いてピーク選択率ｒを決定し、ピーク選択率ｒに対応する閾値電圧レベルＬを決定する。その後、決定された閾値電圧レベルＬを用いて、入力信号に含まれた音声信号に該当するピークの中の該当ピークを検出し、音声信号に該当するピークから音声の開始点及び終了点を検出して音声を検出する。
【００５４】
よって、本発明の実施形態による音声信号検出システムは、入力信号の時間軸ピーク情報を用いて音声信号を検出することにより、計算量が少なく、背景雑音の影響も小さく、状況によって最適な検出方法を適用し得る。
【００５５】
前述した本発明の実施形態による音声検出方法を、より具体的に説明すれば、本発明の実施形態では、所定のピーク選択率ｒに従って決定される閾値電圧レベルＬにより音声が検出される。このようなノンパラメトリック(non-parametric)過程の動作範囲(operating range)に対する理論は、パラメータを用いたガウス雑音背景(Gaussian noise background)における白色ガウス信号(white Gaussian signal)の分析により展開できる。すなわち、このような過程は、ガウス雑音背景での破裂音(plosive)の音声を非常に正確に検出できる。下記では、このような場合に対して動作パラメータを選択できるように詳細な例を説明する。
【００５６】
本発明の実施形態による音声検出方法では、背景雑音信号と入力信号との振幅境界を決定する振幅閾値設定値とピーク−周波数閾値の、２種類の密接な関係のパラメータが選択されるべきである。
【００５７】
ここで、振幅密度閾値の決定は、ソナー検出(sonar detection)における一般的な検出閾値と類似している。これは、特定雑音の場合に対する本発明の検出閾値を特性化するために、一般的な技法が使用され得ることを意味する。経験によるＮ個の統計的に独立的な値の集合からなる、簡単な二進仮定（binary hypothesis）によれば、雑音だけが存在する信号、及び雑音と信号とが含まれた信号は、下記の式（２）のように示される。
【００５８】
【数２】
0004545729.tif 000003
【００５９】
式（２）において、雑音と信号とが含まれた信号と、雑音だけが存在する信号は白色ガウスプロセスにより、下記の式（３）のような密度関数で示される。
【００６０】
【数３】
0004545729.tif 000004
【００６１】
上記式（３）において、雑音の平均値は、信号が加えられても変化しない。このとき、信号と雑音との平均は全部０である。しかしながら、ガウス信号が存在する場合、雑音は変移量(variance)を持つ。
【００６２】
このような雑音の変移を検出するのによく使用される技法は、全体エラーを最小化させて最適の判断ルールを検索するBayerの基準(Bayer's criterion)技法である。最適なBayerの判断ルールに従う中間式は、下記式（４）の通りである。
【００６３】
【数４】
0004545729.tif 000005
【００６４】
上記式（４）は、公知の尤度比検定(likelihood ratio test)であって、Λ(Ｒ)は尤度比であり、ηは検定の振幅閾値である。これは、二進仮定検定の基本的な形態である。尤度比検定を利用すれば、観測結果のセット（set of observations）ｒに対する確率の比を下記の式（５）のように定義することができる。
【００６５】
【数５】
0004545729.tif 000006
【００６６】
尤度比の実験的な形態は、経験値に雑音と信号との確率密度関数(ＰＤＦ)を代入し、経験値を結合した確率密度関数(ＰＤＦ)を求めることにより得られる。振幅閾値は、決定費用と、以前の確率のエラーとを最小化させるBayerの基準に適している。
【００６７】
一般的に、このような項目を設定するに際して、信号と雑音とに対して予めいくつかの仮定が要求される。最適の判断技法に対して利用可能な式を探し出す過程は、Ｎ個の経験値の集合を結合した密度関数を算出するものである。経験値は統計的に独立的と仮定されるので、結合された密度分布は一つのサンプル密度分布として用いられる。
【００６８】
【数６】
0004545729.tif 000007
【００６９】
【数７】
0004545729.tif 000008
【００７０】
式（６）及び式（７）を式（５）に代入すれば、尤度比検定式である式（４）は、下記の式（８）のように示される。
【００７１】
【数８】
0004545729.tif 000009
【００７２】
上記式（８）は、通常、十分統計値(sufficient statistic)を含む式に再整理でき、これは標準的な検出方法を決定できるようにする。
【００７３】
本発明の音声検出方法との関係を単純化させるために、上記式（８）は、上記のような中間的な式にすることが要求される。
【００７４】
ここで、誤警報(false alarm；ＦＡ)の確率を求めるための雑音に対する二進係数が、下記式（９）のように示される。
【００７５】
【数９】
0004545729.tif 000010
【００７６】
上記式（９）において、
【００７７】
【数１０】
0004545729.tif 000011
【００７８】
は、各々成功確率(probability of success;ＰＯＳ)及び失敗確率(probability of failure；ＰＯＦ)を示す。
【００７９】
すなわち、上記式（９）において、
【００８０】
【数１１】
0004545729.tif 000012
【００８１】
が各々０.９９５及び０.００５である場合、１０個のうちで８個以上のピークが雑音閾値を超過する確率は１.７４Ｅ−１７になる。ここで重要な点は、０.５％のピークだけが雑音閾値レベルを超過するように定められたということである。音声検出が行われるためには、ＰＯＳを、ＰＯＦよりも、すなわち、
【００８２】
【数１２】
0004545729.tif 000013
【００８３】
よりも大きくなるように増加させることで、潜在的な分布状態を変化させる信号が存在するようにする。このような分析は、尤度比検定を２種類の異なる二進係数の和に対する比較として用いる動機付けを提供することになる。
【００８４】
よって、本発明の実施形態では、雑音に対する二進係数と、信号及び雑音に対する二進係数とを比較する。このような雑音に対する二進係数と、信号及び雑音に対する二進係数との比較が、下記の式（１０）を用いて実行される。
【００８５】
【数１３】
0004545729.tif 000014
【００８６】
上記式（１０）では、２種類の異なる分布(信号及び雑音)の端部（すそ）の領域に基づく二進係数の和を比較している。このような尤度比検定では、二進和も十分統計値である。
【００８７】
本発明の実施形態を実質的に適用するに際して、上記式（１０）を用いた直接的な計算よりは、異なる雑音−ピーク分布での閾値の設定値を決定するために、ルックアップテーブル(look-up table)を使用することができる。
【００８８】
このような閾値の設定値は、ピークヒストグラムに基づき、実質的にピーク大きさの設定値により決定される。
【００８９】
一方、式（１０）を利用するためには、
【００９０】
【数１４】
0004545729.tif 000015
【００９１】
との間の関係を定義すべきである。このために、式（３）の信号及び雑音のピーク確率密度関数と、式（１０）の二進パラメータとを数学的に関連させる式が必要である。
【００９２】
まず、ピーク確率密度関数を誘導するために、便利な統計的プラットホームとして順序統計量(ＯＳ：order statistics)を使用することができる。これは、データサンプル集合の次数を説明するのに使用される数学的統計方法である。ここで、ピークは、中間値が両側の２点よりも大きい、３点の集合に定義される。
【００９３】
このようなピークに対する定義は、H.J.Larson、“Introduction to Probability Theory and Statistical Inference”、３rded., NY:Wiley,1982., R.J.Larsen and M.L.Marx, “An Introduction to Mathematical Statistics and its Applications”2nd edition,  Prentice-HallInc., Engelwood Cliffs N.J.,1986.のような参考文献を参考し、詳細な説明を省略する。
【００９４】
以下、Ｘを確率密度関数ｆｘ(ｘ)における継続的なランダム変数という。もし、サイズｎのランダムなサンプルがｆｘ(ｘ)から得られる場合、ｉ番目のＯＳに対する限界の（marginal）ＰＤＦは、下記式（１１）の通りである。
【００９５】
【数１５】
0004545729.tif 000016
【００９６】
背景雑音における３点のサンプルサイズを考慮すれば、次数(order)が３であるＯＳを利用できる。よって、ｎ＝３、ｉ＝３であれば、下記式（１２）の通りである。
【００９７】
【数１６】
0004545729.tif 000017
【００９８】
上記の式（１２）は、連続的な任意の変数に対する(例えば、フレーム長が３に対する)ピークのＰＤＦを示すものである。ここで、ピークのＰＤＦに関して解くために、式（２）のようなＰＤＦの背景雑音に対する式を挿入すべきである。上記式（１２）に背景雑音に対する式を挿入すれば、３次ＯＳに対して下記式（１３）が算出される。
【００９９】
【数１７】
0004545729.tif 000018
【０１００】
上記式（１３）において、直交技法(quadrature technique)や変換技法(transformation approach)を使用した積分値が計算されるべきである。変換技法において、現在の積分値は、リンク可能なプログラムライブラリーにより現在の積分値が容易に計算される他の積分式に変換されるべきである。
【０１０１】
このために、
【０１０２】
【数１８】
0004545729.tif 000019
【０１０３】
は、下記の式（１４）のような式に変換され得る。
【０１０４】
【数１９】
0004545729.tif 000020
【０１０５】
また、上記の式（１３）を容易に計算するために、積分のリミット(limit)を下記の式（１５）のように適用できる。
【０１０６】
【数２０】
0004545729.tif 000021
【０１０７】
また、式（１２）の累積分布関数(cumulative distribution function)は、エラー関数(error function)を使用して下記の式（１６）のように変換できる。
【０１０８】
【数２１】
0004545729.tif 000022
【０１０９】
上記式（１６）に対する確率密度グラフが、図５Ａ及び図５Ｂに示されている。図５Ａは“３次ＯＳ”を用いた確率密度グラフで、図５Ｂは修正された（modified）“３次ＯＳ”を用いた確率密度グラフである。
【０１１０】
図５Ａ及び図５Ｂには、２種類の確率密度グラフが示されている。このうち、不規則なカーブは、平均値０と標準偏差３０とを持つガウス雑音背景のピークに対する実験的な確率密度グラフであり、ガウス乱数のシーケンスピークに対してヒストグラム技法を用いて生成されたものである。
【０１１１】
一方、スムーズなカーブは、上記式（１６）を用いて生成された確率密度グラフであって、“３次ＯＳ”の定義に基づくピークの振幅に対する理論的な確率密度グラフを示す。
【０１１２】
“３次ＯＳ”の定義によれば、両方のカーブは整合されるべきであるが、そうでない。その理由は、実験的な解析時に、“ｉ次ＯＳ”の定義に対する制限があるためである。理論的に、“ｉ次ＯＳ”は、“順序集合(ordered set)で任意の２つの値が互いに異なる”という内容を含んでいる。しかしながら、実験的な解析時には、−１２８から＋１２８までの間の整数値に限定された８ビットの数字が、ランダムな数を格納するために使用される。このような限界により、ピークを構成する３点のうちで２点が全く同じ状況が発生することになる。
【０１１３】
このような問題点を解決するために、本発明の実施形態では、下記式（１７）のような修正された“３次ＯＳ”を使用する。
【０１１４】
【数２２】
0004545729.tif 000023
【０１１５】
上記の式（１７）において、Ｃは、上記式（１７）が実際の確率密度関数になるように作る標準常数である。上記式（１７）は、
【０１１６】
【数２３】
0004545729.tif 000024
【０１１７】
が０でない確率により発生するということを認識することにより、修正された“３次ＯＳ”になる。
【０１１８】
よって、“３次ＯＳ”を構成する３点の集合を最大化するために、
【０１１９】
【数２４】
0004545729.tif 000025
【０１２０】
このとき、上記式（１７）は、３つの確率の積からなる。例えば、ピークが同一の確率密度から、３つのランダムな数が選択される場合が、ここで説明される。
【０１２１】
このために、まず、
【０１２２】
【数２５】
0004545729.tif 000026
【０１２３】
により一つのランダムな数を選び、１番目よりも確実に小さい２番目のランダムな数を選ぶ確率は、
【０１２４】
【数２６】
0004545729.tif 000027
【０１２５】
である。また、３番目も同様である。各３つのランダムな数を選ぶ確率が独立的なので、連続的な確率は、３つの確率の積になる。
【０１２６】
このとき、“３次ＯＳ”を満足させながら、３つのランダムな数を選ぶことができる６つの異なる方法がある。しかしながら、実際のピークは最大点が中間に位置する場合にだけ該当し、実際のピークが存在する確率は、２／６＝１／３の確率である。よって、下記式（１８）、すなわち、
【０１２７】
【数２７】
0004545729.tif 000028
【０１２８】
より下の領域が約１／３であれば、標準化常数に対する適切な選択は３Ｃである。
【０１２９】
図５Ａ及び図５Ｂは、同一の実験的なピーク確率密度関数グラフを示す。このとき、背景雑音は平均０と標準偏差３０とを持つガウス信号が用いられる。図５Ｂのスムーズなカーブは、上記の式（１７）においてＣ＝１.０２９の修正された“３次ＯＳ”に作られた理論的なピーク確率密度関数である。このとき、式（１７）において、パラメータＣは、まず、式（１７）を標準化して適切な確率密度関数になるように、逆関数値を予測して計算される。よって、図５Ｂでは、理論的な確率密度関数グラフと実験的な確率密度関数グラフとが非常に正確に一致することを確認することができる。
【０１３０】
すなわち、前述したような本発明の実施形態によれば、式（１７）は、ピーク確率密度関数の実験的なヒストグラムと整合することになる。これに基づいて、ピーク確率密度関数のための式（１７）は、雑音ピーク及びシングルピークガウス密度関数に使用されることができる。
【０１３１】
これは、本発明の
【０１３２】
【数２８】
0004545729.tif 000029
【０１３３】
に関連した尤度比検定の動作を説明するのに必要な“ミッシングリンク(missing link)”を提供する。
【０１３４】
【数２９】
0004545729.tif 000030
【０１３５】
により雑音閾値が決定されれば、
【０１３６】
【数３０】
0004545729.tif 000031
【０１３７】
により雑音のピークに対する
【０１３８】
【数３１】
0004545729.tif 000032
【０１３９】
も決定される。
【０１４０】
ここで、閾値は、物理的な電圧レベルにより決定される“レール(rail)”の形態であり、このようなレールの下、上に存在する雑音ピークのパーセンテージ(percentage)により説明される。ガウス信号が存在すれば、新しい信号雑音ガウス密度関数が生成される。この新しいカーブは“レール”の下、上に存在する他のピークのパーセンテージを有する。よって、一旦、雑音のピークに対する
【０１４１】
【数３２】
0004545729.tif 000033
【０１４２】
が定義されれば、全ての信号雑音密度に対する
【０１４３】
【数３３】
0004545729.tif 000034
【０１４４】
も、同様に定義される。
【０１４５】
図６は、本発明の実施形態による雑音のみの信号、及び信号と雑音とが混合された信号の各々に対する確率密度関数グラフを示す図である。図６では、修正された“３次ＯＳ”の公式である式（１７）に基づいたＰＤＦを示す。より高いピークを持つカーブは雑音ピークに対するＰＤＦで、より低いピークを持つカーブは信号と雑音とが混合された信号のピークに対するＰＤＦである。同図において、信号と雑音とが混合された信号はゼロ平均ガウス信号(zero mean Gaussian signal)で、標準偏差は各々雑音のみの信号であるときは２０で、信号と雑音とが混合された信号であるときは４０である。結果的なＳＮＲ(信号対雑音比)は４.８ｄＢで、他の検出方法より非常に良好なピーク検出のための最小の許容可能な目標ＳＮＲになる。カーブにある線は
【０１４６】
【数３４】
0004545729.tif 000035
【０１４７】
の場合の雑音ピークのうちのハイレバルピークのＰＯＳに対する閾値セッティング値を示す。これに対応するＰＯＦは
【０１４８】
【数３５】
0004545729.tif 000036
【０１４９】
であり、これは雑音ピークの９０％が閾値セッティング値以下にあることを意味する。
【０１５０】
本発明の実施形態では、閾値を線で表示することで、信号と雑音とが混合された信号の密度の閾値より上に存在するピークのパーセンテージが積分により容易に計算される。この場合、ＰＯＦは雑音のみの信号で０.９にセッティングされ、信号と雑音とが混合された信号のＰＯＦは０.４６である。
【０１５１】
【数３６】
0004545729.tif 000037
【０１５２】
このとき、前述したような式（１９）が有効統計値(efficient statistics)を示し、検出及び失敗の確率(probability of detection and failure)を定義するので、“ＲＯＣ(receiver operating characteristic)カーブを作るために利用されることができる。ガウス雑音におけるガウス信号の標準検出器分析(standard detector analysis)において、座標系(coordinate system)は、尤度比検定における項のサブセット(subset of the terms in the likelihood ratio test)なので、座標系は、十分統計値を支援するために変更されるべきである。
【０１５３】
上記式（１９）の右項は、雑音ピークに対するＰＤＦの上側端の下部の領域（直線、及び雑音ピークに対するＰＤＦのカーブで区分された領域）を示すので、本発明の実施形態による音声検出方法では、下記の式（２０）のように誤警報の確率、Ｐ(ＦＡ)になる。
【０１５４】
【数３７】
0004545729.tif 000038
【０１５５】
また、本発明の実施形態によれば、まず、雑音閾値が決定され、信号のレベル及びタイプによってＰｓが決定される。このとき、ｎとｋのパラメータ(k out of n：ｎのうちのｋ)は、検出される信号の性質によって決定されるべきである。ここで、ｎとｋの適当な設定により音声信号検出の性能が左右される。
【０１５６】
また、上記式（１９）の左項は、検出の確率Ｐ(Ｄ)であり、信号と雑音とが混合された信号のピークに対するＰＤＦの上側端の下側の領域（直線、及び信号と雑音とが混合された信号のピークに対するＰＤＦのカーブで区分された領域）を示す。このような式（１９）の左項は、下記式（２1）のように示される。
【０１５７】
【数３８】
0004545729.tif 000039
【０１５８】
上記式（２１）において、雑音に相対的である信号の強度によってＰＯＳ及びＰＯＦが定義されれば、ｎとｋはＰ(Ｄ)を決定することになり、Ｐ(Ｄ)の結果は予測可能である。例えば、信号と雑音とが混合された信号のピークＰＤＦが右側に多く移動すれば、非常に大きい信号を意味し、Ｐ(Ｄ)＝１になる。しかしながら、Ｐ(ＦＡ)は、閾値より上にある雑音ピークＰＤＦ部分だけに依存するので、相変らず０でない。
【０１５９】
図６において、閾値が０.９である場合(すなわち、閾値の下に９０％の雑音ピークが存在する場合)、６ｄＢガウス信号で結果的なＰｓは１.０−０.４６＝０.５４である。このような情報は、様々なｎとｋセッティングによるＲＯＣカーブを作り出すために使用される。各“k out of n”シナリオは、各々異なる一つの検出器で具現されることができる。
【０１６０】
各“k out of n”シナリオの例として、下記の表１では、３種類のＰＯＦ閾値０.９、０.９５、０.９８から、“k out of 5”に対する様々なパラメータセッティング値に対するＰ(Ｄ)と、それに対応するＰ(ＦＡ)とを示している。
【０１６１】
【表１】
0004545729.tif 000040
【０１６２】
また、下記の表２では、３種類のＰＯＦ閾値０.９、０.９５、０.９８から、“k out of 10”に対する様々なパラメータセッティング値に対するＰ(Ｄ)と、それに対応するとを示している。 
【０１６３】
【表２】
0004545729.tif 000041
【０１６４】
本発明の実施形態によれば、前述したような各“k out of n”に従うテーブルを利用すれば、状況に応じて適切な値にセッティングして、音声信号を検出できる。前述した表１及び表２のセッティング値を用いた音声信号検出結果が、図７Ａ〜図７Ｃに示されている。
【０１６５】
図７Ａ〜図７Ｃは、本発明の実施形態による選択率(count ratio)ｒ＝０.１、０.０５、０.０２で、ｎ＝１０、５で、ｋは１〜１０、１〜５に各々変化する時の色々なセッティングに対する検出値を示す図である。
【０１６６】
図７Ａ〜図７Ｃによれば、本発明では、音声の終了点をピーク(３データポイント)から検出するので、最大ＦＡ比率は、どのような検出がリンクされるかを制御できるようにセッティングされるべきである。それぞれのピーク検出は、テストウインドウサイズに基づいた一つのマイクロイベントである。ここで、連続的又は互いに隣接したマイクロイベントは自然に互いにリンクされ、非隣接したマイクロイベントも互いにリンクされる。このとき、音声エラーを作り得るマイクロイベントは、互いリンクしないようにすべきである。
【０１６７】
有用なＦＡ範囲は、１５０ｍｓ以上離れている音声エネルギーパルスはほぼ常に異なる発話に属しているという実験結果を活用して得られる。よって、ＦＡが１５０ｍｓ以上離れていれば、誤ったリンクは起こらない。１５０ｍｓは、８ｋＨｚで１２００ポイントであり、白色雑音に対して約４００ピークに該当する。１５０ｍｓ毎の一つのＦＡは、６.６７ＦＡｓ／ｓｅｃに該当するが、このようなセッティングにより、本発明の方法は終了点を正確に検出できる。このようなＦＡ制限をテーブルのセッティングと比較するために、表に記入されたＰ(ＦＡ)値は、テストウインドウに対するＦＡから時間に対するＦＡに変換されるべきである。このような変換ＦＡ比率に対する情報が、表３に示されている。
【０１６８】
【表３】
0004545729.tif 000042
【０１６９】
上記の表３は、表１の変換されたＦＡ比率情報を持つ。＊が表示される部分は、８ｋＨｚサンプリング率におけるＦＡ設定値により(ＦＡが１５０ｍｓ毎に一つ以下であると仮定する時)、本発明の実施形態を満足する動作ポイントを示している。
【０１７０】
本発明の実施形態では、ピークシーケンスを閾値電圧レベルＬに基づいて二進シーケンスに変換する。テストウインドウＷが選択されれば、信号の存在の有無を確認するためにウインドウ内の“１”の個数を把握し、仮に、閾値セッティングＬがピークのトップ２０％を分離すれば、少なくとも、１０個のうちで８個のピークが現在の雑音背景で閾値を越える確率は７.７９Ｅ−０５になる。このような非常に低い確率は、１０個のうちで８個のピークを含んだテストウインドウが、現在の背景雑音によるものでなく、実質的に新しい信号ということを示す。
【０１７１】
ここで、数値的な確率は、１０個のピークウインドウの観点より、Ｐ(ＦＡ)と考えられることができる。テストウインドウ(例えば、“4 out of 5”において５)は、３つのデータポイント毎に一つのピークのレートで現れる１次ピークからなるため、ＦＡ比率は３０データポイント毎に７.７９Ｅ−０５である。
【０１７２】
エラーには、雑音を信号と判断する加算エラー、及び信号を雑音と判断する減算エラーがあるが、情報を消失させる減算エラーが起きないようにすることが重要である。よって、低いＳＮＲの状況では、閾値が非常に高いことが好ましい。テストウインドウが長い場合には、正弦波の周波数が大きくなる時、検出のためのピークのクラスター(cluster)がより小さくなる。従って、大きいテストウインドウの代りに、小さいテストウインドウを使用することが、ＦＡ比率をより低減でき、ピークのクラスターの検出信頼度をより高めることができる。例えば、テストウインドウの長さを１０から５に低減し、“4 out of 5”の仮定において、ＦＡ比率は３.０Ｅ−０５に改善され得る。このような“4 out of 5”テストウインドウにおける定常ＦＡ比率は、１秒当り０.１２になる。よって、閾値上の与えられたピークの個数に対し、テストウインドウの長さを最小化すれば、Ｐ(ＦＡ)が最小化される。
【０１７３】
基本的な概念は、テストウインドウの長さを、検出されるピーククラスターやマイクロイベントにマッチさせるものである。このような情報は、短期間の低いＳＮＲ正弦波を信頼性よく検出するのに利用される。仮に、正弦波が長い区間を有する場合、処理利得が検出の前に具現されるので、周波数領域技法を使用することができる。しかしながら、短い正弦波の場合は、時間軸で検出が行われるべきである。テストウインドウの長さをＷ＝５に低減するとき、低い周波数正弦波のピーク間に何らの検出も行われない領域があり得る。これは、各テストウインドウが完全に検出された信号を含むように要求される場合のみに問題になる。仮に、信号が様々なテストウインドウに渡っている場合、最初及び最後のテストウインドウが、信号の開始点及び終了点を定義するために使用されることができる。参考文献において、各発話に相互の相関性があり、各パラメーターが音声検出のためのリンク基準として使用できるかを決定するために、パラメーターが選択されている。ここで、音声は相対的に機械的な過程により生成され、発音部は相対的に遅く動く。例えば、音声上の発音のランプアップ時間(立ち上がり時間：ramp-up time)は４０ｍｓの水準であり、これは１２ｋＨｚサンプリングで４８０データポイントであることを示す。
【０１７４】
このとき、白色雑音データにおいて、４８０データポイントで約１６０個のピークが発生し、低いエネルギーを有する相関性がある音声間に与えられた時間は、１５０ｍｓ程度である。よって、“4 out of 5”のテストウインドウが表示され、次の“4 out of 5”のテストウインドウが表示されるまで３０ｍｓの無音が存在すれば、このような二つのテストウインドウは一つのイベントにリンクされ得る。本発明では、このような接近方法を使用する。
【０１７５】
“3 out of 4”や“4 out of 5”のような小さなテストウインドウを満足させるピークのシーケンスは、本発明ではマイクロイベントという。このようなマイクロイベントは、実際に検出できる最小のピークのパッケージであり、このような短いテストウインドウをＦＡの観点において強固にするように、ヒストグラム閾値以上のレベルを有するピークのパーセンテージ(例えば、ピーク選択率“ｒ”)が、より小さくセッティングされ得る。一旦、このようなマイクロイベントが検出されれば、時間軸で互いに相関性があるかを決定するための理論が使用され得る。マイクロイベントが、時間関係閾値(temporal relationship threshold)を満足させると、互いにリンクされ得る。リンクされた長いマイクロイベントのチェーンは、発話した音声の部分を有効に検出することになる。ここで、検出はマイクロイベントのセットにおいて実行されるため、リンク条件によって、多数の音声開始点及び終了点が検出される。よって、状況に合う特徴抽出変数を適用して、柔軟で最適化した音声検出が可能である。
【０１７６】
実際の性能比較実験の結果を、下記の表４及び表５に示す。
【０１７７】
【表４】
0004545729.tif 000043
【０１７８】
【表５】
0004545729.tif 000044
【０１７９】
上記の表４及び表５において、１番は理想的な場合で、括弧内はエラー量を示す。２番はエネルギー検出方法を用いた音声検出の結果を示す。３番はゼロクロスレート方法を用いた音声検出の結果を示す。４番はエネルギー検出方法及びゼロクロスレート方法の両方を用いた音声検出の結果を示す。５番は本発明の実施形態による音声検出方法を用いた音声検出の結果を示す。
【０１８０】
表４は、“ｅｉｇｈｔ”という単語を２回発音した場合に対する結果を示すもので、Ａ(Ａ')＝最初の発話の開始点、Ｂ(Ｂ')＝最初の発話の終了点、Ｃ(Ｃ')＝２回の発話の開始点、Ｄ(Ｄ')＝２回の発話の終了点であり、Ａ、Ｂ、Ｃ、Ｄは雑音が殆どない場合(３０ｄＢ)であり、Ａ'、Ｂ'、Ｃ'、Ｄ’は強い雑音がある場合(５ｄＢ)である。ここで、“＋のエラー”は加算エラーを示し、“−のエラー”は減算エラーを示す。本発明の結果は、従来の方法とは異なり、情報を消失した減算エラーが発生しないことを確認することができる。また、表５は、“ｎｉｎｅ”という単語を２回発音した場合に対する比較結果を示すもので、表４のように減算エラーが発生しないことを確認することができる。すなわち、本発明の実施形態による音声検出方法は、従来の方法に比べ、雑音環境において性能が優れるだけでなく、減算エラーが発生せず、計算が容易であることを確認することができる。
【０１８１】
なお、本発明の詳細な説明では具体的な実施形態について説明したが、本発明の要旨から逸脱しない範囲内で多様に変形できる。よって、本発明の範囲は、前述の実施形態に限定されるものではなく、特許請求の範囲の記載及びこれと均等なものに基づいて定められるべきである。
【図面の簡単な説明】
【０１８２】
【図１】本発明の実施形態による音声信号検出システムのブロック構成図である。
【図２】本発明の実施形態による背景雑音のピーク分布を用いた閾値電圧レベル決定過程を示すフローチャートである。
【図３Ａ】本発明の実施形態による背景雑音信号に対するピークと、そのピークの電圧レベルとに対するヒストグラムを示す図である。
【図３Ｂ】本発明の実施形態による背景雑音信号に対するピークと、そのピークの電圧レベルとに対するヒストグラムを示す図である。
【図４】本発明の実施形態による閾値電圧レベルを用いた音声検出方法を示すフローチャートである。
【図５Ａ】本発明の実施形態による背景雑音のピークに対する確率密度グラフの例示図である。
【図５Ｂ】本発明の実施形態による背景雑音のピークに対する確率密度グラフの例示図である。
【図６】本発明の実施形態による雑音信号及び音声と雑音とが混合された信号の各々に対する確率密度関数グラフの例示図である。
【図７Ａ】本発明の実施形態による色々なセッティングに対する音声信号検出結果を示す図である。
【図７Ｂ】本発明の実施形態による色々なセッティングに対する音声信号検出結果を示す図である。
【図７Ｃ】本発明の実施形態による色々なセッティングに対する音声信号検出結果を示す図である。
【符号の説明】
【０１８３】
１０２    ピーク抽出部
１０４    ピーク検出部
１０６    マイクロイベント検出部
１０８    マイクロイベント連結部
１１０    音声開始点及び終了点判断部
１２２    背景雑音ヒストグラム生成部
１２４    ピーク検出閾値電圧レベル決定部
【図１】
0004545729.tif 000045
【図２】
0004545729.tif 000046
【図３Ａ】
0004545729.tif 000047
【図３Ｂ】
0004545729.tif 000048
【図４】
0004545729.tif 000049
【図５Ａ】
0004545729.tif 000050
【図５Ｂ】
0004545729.tif 000051
【図６】
0004545729.tif 000052
【図７Ａ】
0004545729.tif 000053
【図７Ｂ】
0004545729.tif 000054
【図７Ｃ】
0004545729.tif 000055